(57)【要約】【課題】グリッドの交換作業を行う上で利便性が高く、しかも、安価な放射線画像記録装置を提供する。【解決手段】操作表示パネル２７を操作することでグリッドの交換手順を示す交換手順画像を表示させ、交換手順に従って順次表示される画像に従い、グリッド交換扉５６の開放、グリッド４４の交換、グリッド交換扉５６に閉塞の各作業をマニュアルを用いないで行う。【選択図】図３
2005073749.tif 000002
【特許請求の範囲】
【請求項１】
被写体を透過した放射線をグリッドを介して放射線画像記録媒体に導き、前記被写体の放射線画像を前記放射線画像記録媒体に記録する放射線画像記録装置において、
前記放射線画像記録装置に対する設定操作を行うとともに、前記設定操作のための設定画像を表示する操作表示パネルと、
前記グリッドの交換手順を示す交換手順画像を記憶する交換手順画像記憶部と、
前記設定操作に従い、前記交換手順画像の前記操作表示パネルに対する表示処理を行う表示処理部と、
を備えることを特徴とする放射線画像記録装置。
【請求項２】
請求項１記載の装置において、
前記表示処理部は、交換手順に従った複数の前記交換手順画像を前記操作表示パネルに対して順次表示する処理を行うことを特徴とする放射線画像記録装置。
【請求項３】
請求項１記載の装置において、
前記操作表示パネルに表示される前記交換手順画像の内容に対応した音声を出力する音声出力部を備えることを特徴とする放射線画像記録装置。
【発明の詳細な説明】
【技術分野】
【０００１】
本発明は、被写体を透過した放射線をグリッドを介して放射線画像記録媒体に導き、前記被写体の放射線画像を前記放射線画像記録媒体に記録する放射線画像記録装置に関する。
【背景技術】
【０００２】
従来より、放射線源から放出される放射線を照射すると、この放射線エネルギの一部が蓄積され、その後、可視光等の励起光を照射すると、蓄積されたエネルギ強度に応じて輝尽発光を示す蓄積性蛍光体を利用して、人体等の被写体の放射線画像を蓄積性蛍光体層を備えてなる蓄積性蛍光体シートに記録する放射線画像記録装置が知られている。
【０００３】
このような放射線画像記録装置には、被写体を透過した必要な放射線以外の散乱放射線を除去するためのグリッドが蓄積性蛍光体シートの直前に配置されている。このグリッドは、撮影目的、撮影条件等に応じ最適なものを選択して装着できるよう、交換可能であることが望まれる。
【０００４】
ところで、グリッドの交換に際して、放射線画像記録装置のオペレータがマニュアルの記載に基づいて交換作業を行うものとすると、マニュアルを調べる作業が非常に煩雑であるだけでなく、不慣れなオペレータがマニュアルを確認しながら作業を行うことになるため、操作ミスが発生してしまうおそれがある。
【０００５】
一方、特許文献１に開示された画像形成装置では、画像を形成するための用紙が装置内で紙詰まりした場合、その事態及び紙詰まり個所をセンサで検出し、当該用紙の除去処理手順を一連の動画として液晶表示部に表示することにより、オペレータによる用紙の除去作業を容易且つ確実に行えるようにしている。
【０００６】
【特許文献１】特開２０００−１５５５０８号公報
【発明の開示】
【発明が解決しようとする課題】
【０００７】
しかしながら、特許文献１に開示された従来技術では、紙詰まりを検出するセンサからの信号に従って除去処理手順の表示を行うようにしており、オペレータによる任意の操作に基づいて処理手順を表示できるものではない。従って、グリッド交換のように、オペレータからの指示が必要な場合に適用するためには、別途指示手段が必要であり、その分、装置が複雑で高価になってしまう。
【０００８】
本発明は、前記の課題を解決するためになされたものであって、グリッドの交換作業を行う上で利便性が高く、しかも、安価な放射線画像記録装置を提供することを目的とする。
【課題を解決するための手段】
【０００９】
本発明の放射線画像記録装置は、被写体を透過した放射線をグリッドを介して放射線画像記録媒体に導き、前記被写体の放射線画像を前記放射線画像記録媒体に記録する放射線画像記録装置において、
前記放射線画像記録装置に対する設定操作を行うとともに、前記設定操作のための設定画像を表示する操作表示パネルと、
前記グリッドの交換手順を示す交換手順画像を記憶する交換手順画像記憶部と、
前記設定操作に従い、前記交換手順画像の前記操作表示パネルに対する表示処理を行う表示処理部と、
を備えることを特徴とする。
【００１０】
この場合、グリッドの交換作業を行う際、オペレータが操作表示パネルを操作すると、表示処理部は、操作表示パネルに交換手順画像を表示させる。オペレータは、表示された交換手順画像に従い、グリッドの交換作業を行う。
【００１１】
なお、グリッドの交換手順に従った複数の交換手順画像を順次表示することにより、交換手順を容易に把握して確実なグリッドの交換作業を行うことができる。
【００１２】
また、交換手順画像の内容に対応して、音声出力部により音声で案内を行うことにより、グリッドの交換作業が一層容易なものとなる。
【発明の効果】
【００１３】
本発明の放射線画像記録装置では、当該放射線画像記録装置の設定操作を行うための操作表示パネルを用いて、オペレータの設定操作に従いグリッド交換のための交換手順画像を表示させることができる。この場合、オペレータは、マニュアルを用いることなく、操作表示パネルに表示された交換手順画像に従ってグリッド交換作業を容易且つ確実に行うことができる。
【００１４】
なお、設定表示パネルに交換手順に従った複数の交換手順画像を順次表示させることにより、交換手順を一層容易に把握することができる。また、交換手順画像を表示するとともに、その内容に対応した音声を出力することにより、交換作業をさらに容易にすることができる。
【発明を実施するための最良の形態】
【００１５】
図１は、本発明の放射線画像記録装置が適用される放射線画像記録読取装置２０の外観図である。
【００１６】
放射線画像記録読取装置２０は、基台２２上に立設される支柱２４を有し、支柱２４には、本体部２６が上下方向に移動可能な状態で配設されるとともに、放射線画像記録読取装置２０による処理の設定操作及び設定操作のための設定画像を表示する操作表示パネル２７が配設される。なお、操作表示パネル２７は、操作のためのタッチパネルと設定画像を表示するための表示部とを兼用する。
【００１７】
本体部２６の上部には、上部把持フレーム２８が支柱２４に支持されて配設される。また、本体部２６の両側部には、側部把持フレーム３０ａ、３０ｂが配設される。さらに、本体部２６には、変位自在なアーム部材３２を介して放射線遮蔽パネル３４が連結される。上部把持フレーム２８及び側部把持フレーム３０ａ、３０ｂは、撮影姿勢を保持するため、図２に示す被写体３６が把持するものである。放射線遮蔽パネル３４は、放射線源３８から出力された放射線から被写体３６の生殖器等を保護するものである。
【００１８】
本体部２６を構成する筐体４０の内部には、被写体３６側よりフォトタイマ４２、グリッド４４及び蓄積性蛍光体シートＩＰ（放射線画像記録媒体）が配設される。フォトタイマ４２は、放射線源３８から被写体３６を介して照射される放射線の線量を計測し、照射量を制御するためのものである。グリッド４４は、被写体３６を透過した必要な放射線以外の散乱放射線を除去するためのものである。蓄積性蛍光体シートＩＰは、グリッド４４に近接する位置（実線）と、グリッド４４から離間する位置（二点鎖線）との間で矢印方向に移動可能に構成される。
【００１９】
また、本体部２６の内部には、二点鎖線で示す位置に配置された蓄積性蛍光体シートＩＰの前面に沿って上下方向に移動する読取消去ユニット４６が配設される。読取消去ユニット４６は、蓄積性蛍光体シートＩＰに対して励起光を照射し、蓄積された放射線エネルギの強度に応じて出力される輝尽発光光を光電的に読み取る読取部４８と、放射線画像の読み取られた蓄積性蛍光体シートＩＰに対して消去光を照射し、残存する放射線エネルギを除去する消去部５０とから構成される。
【００２０】
読取部４８は、励起光を出力する複数のレーザダイオード４１ａ〜４１ｘと、蓄積性蛍光体シートＩＰから得られた輝尽発光光を電気信号に変換する複数のＣＣＤラインセンサ４３ａ〜４３ｅとを備える。消去部５０は、消去光を出力する複数の冷陰極管４５ａ〜４５ｍを備える。レーザダイオード４１ａ〜４１ｘは、読取消去ユニット４６の移動方向と直交する方向に配列されており、ライン状に整形された励起光を蓄積性蛍光体シートＩＰに照射する。ＣＣＤラインセンサ４３ａ〜４３ｅは、レーザダイオード４１ａ〜４１ｘの配列方向に千鳥状に配列され、蓄積性蛍光体シートＩＰから得られた輝尽発光光を受光して電気信号に変換する。冷陰極管４５ａ〜４５ｍは、レーザダイオード４１ａ〜４１ｘの配列方向に長尺に構成される。
【００２１】
読取消去ユニット４６は、搬送ベルト５２に係合しており、読取消去ユニット移動モータ５４の駆動作用下に、蓄積性蛍光体シートＩＰの両側部に沿って上下方向に延在するガイドレール４９に沿って上下方向に移動する。
【００２２】
一方、筐体４０の上部には、図３に示すように、グリッド４４を交換するための開閉可能なグリッド交換扉５６が配設される。なお、グリッド４４は、オペレータによる交換作業のための取手５８ａ、５８ｂを上部に有する。また、グリッド交換扉５６の下部には、グリッド交換扉５６を開いた際に本体部２６の内部に塵埃等が浸入することを回避するため、グリッド４４の上部を除く蓄積性蛍光体シートＩＰ側の上部を覆うようにして内部カバー６０が配設される。この内部カバー６０の上面部には、グリッド４４の本体部２６に対する挿入状態及び挿入部位を明示した絵が印刷されたラベル６２が配設される。
【００２３】
図４は、以上のように構成される放射線画像記録読取装置２０の制御回路ブロック図である。放射線画像記録読取装置２０は、主制御部６４（表示処理部）により制御される。主制御部６４には、本体部２６を支柱２４に沿って昇降させるための昇降制御部６６と、蓄積性蛍光体シートＩＰを撮影位置（実線）及び読取消去位置（二点鎖線）間で移動させるＩＰ移動制御部６８と、読取消去ユニット４６による放射線画像の読取消去処理を行う読取消去ユニット制御部７０とが接続される。また、主制御部６４には、グリッド交換扉５６の開閉状態を検出する扉開閉検出センサ７２と、本体部２６にグリッド４４が装着されているか否かを検出するグリッド有無検出センサ７４とが接続される。
【００２４】
さらに、主制御部６４には、選択された何れか一方のインタフェース７６又は７８を介して操作表示パネル２７が接続される。操作表示パネル２７は、インタフェース７６又は７８を選択することにより、本体部２６の右側部又は左側部に装着することができる。なお、インタフェース７６又は７８と、操作表示パネル２７とを可撓性のアームによって連結すれば、オペレータや被写体３６に対して視認容易な状態とすることができる。
【００２５】
さらにまた、主制御部６４には、設定画像を記憶する設定画像記憶部８０と、グリッド４４の交換手順を示す交換手順画像を記憶する交換手順画像記憶部８２と、読取部４８により蓄積性蛍光体シートＩＰから読み取った放射線画像を記憶する放射線画像記憶部８４と、操作表示パネル２７の表示内容に対応した音声を出力する音声出力部８６と、放射線画像記録読取装置２０をネットワーク８８を介して外部装置９０と接続するための通信制御部９２とが接続される。
【００２６】
本実施形態の放射線画像記録読取装置２０は、基本的には以上のように構成されるものであり、次に、その動作について説明する。
【００２７】
先ず、放射線画像記録読取装置２０を用いた放射線画像の記録処理について説明する。なお、記録処理に際して、蓄積性蛍光体シートＩＰは、ＩＰ移動制御部６８により図２に示す実線の位置に配置される。
【００２８】
支柱２４に配設された操作表示パネル２７には、例えば、図５に示す設定画像９４のように、被写体３６の氏名、撮影部位等の情報が表示されるとともに、オペレータによって選択された撮影範囲（ハッチングで示す。）の画像が表示される。オペレータ及び被写体３６は、その表示内容を確認して撮影準備を進めることができる。この場合、操作表示パネル２７に指紋照合手段等の本人を確認できる手段を設けておき、当該手段を用いて被写体３６が設定画像９４に表示された本人であることを確認するようにしてもよい。
【００２９】
そこで、オペレータは、操作表示パネル２７やその他の図示しない操作手段を操作し、放射線画像記録読取装置２０の主制御部６４を介して昇降制御部６６に指示を行い、本体部２６を被写体３６の撮影部位に合わせて昇降させる。
【００３０】
本体部２６の位置が決定した後、放射線源３８を駆動し、放射線を被写体３６に照射する。被写体３６を透過した放射線は、フォトタイマ４２及びグリッド４４を介して蓄積性蛍光体シートＩＰに照射され、被写体３６の放射線画像が記録される。なお、放射線の照射の前後において、音声出力部８６を介して、「息を吸ってください」、「息を止めてください」、「楽にしてください」といったガイダンスを音声として出力するようにしてもよい。
【００３１】
以上のようにして放射線画像が記録された後、ＩＰ移動制御部６８により蓄積性蛍光体シートＩＰが図２に示す二点鎖線の位置に移動し、次いで、読取消去ユニット４６を蓄積性蛍光体シートＩＰの前面に沿って移動させることにより、放射線画像の読み取りが行われる。
【００３２】
すなわち、読取消去ユニット制御部７０は、読取消去ユニット移動モータ５４を駆動し、搬送ベルト５２を介して読取消去ユニット４６を構成する読取部４８を蓄積性蛍光体シートＩＰに沿って上方向に移動させる。このとき、レーザダイオード４１ａ〜４１ｘから出力された励起光が蓄積性蛍光体シートＩＰに照射されると、蓄積性蛍光体シートＩＰは、蓄積された放射線画像に応じた輝尽発光光を出力する。この輝尽発光光は、ＣＣＤラインセンサ４３ａ〜４３ｅによって受光されて電気信号に変換され、放射線画像記憶部８４に記憶される。放射線画像記憶部８４に記憶された放射線画像は、通信制御部９２によってネットワーク８８を介して外部装置９０に送信された後、診断等に供される。
【００３３】
一方、読取消去ユニット４６が本体部２６の上部まで移動して放射線画像の読取処理が終了すると、消去部５０を構成する冷陰極管４５ａ〜４５ｍが点灯し、読取消去ユニット４６を下方向に移動させながら蓄積性蛍光体シートＩＰに残存する放射線エネルギの消去が行われる。
【００３４】
以上のようにして、蓄積性蛍光体シートＩＰに対する放射線画像の記録処理、読取処理及び消去処理が行われる。なお、消去処理は、読取処理を行った後、自動的に行うだけでなく、図５に示す設定画像９４の「ＩＰ消去」のボタンを操作することにより、放射線画像を蓄積性蛍光体シートＩＰに記録する前の任意の時期に行うこともできる。当該放射線画像記録読取装置２０を使用していない間に蓄積した放射線エネルギを記録前に消去するためである。
【００３５】
ここで、本体部２６に装填されているグリッド４４は、撮影部位や撮影目的等に応じて交換し、又は、除去する場合がある。そこで、次に、図６に示すフローチャートに基づき、操作表示パネル２７を利用したグリッド４４の交換処理について説明する。
【００３６】
先ず、図５に示す設定画像９４において、オペレータが「グリッド交換」のボタンを操作すると（ステップＳ１）、主制御部６４は、交換手順画像記憶部８２からグリッド交換扉５６を開く手順を示す画像データを読み出し、操作表示パネル２７に図７に示す扉オープン操作画像９６ａ〜９６ｄとして所定の時間間隔で順に表示する（ステップＳ２）。
【００３７】
この場合、扉オープン操作画像９６ａは、閉じた状態にあるグリッド交換扉５６及びその開放方向を示し、扉オープン操作画像９６ｂは、一部開いた状態にあるグリッド交換扉５６及びその開放方向を示し、扉オープン操作画像９６ｃは、さらに開いた状態のグリッド交換扉５６を示し、扉オープン操作画像９６ｄは、完全に開放状態となったグリッド交換扉５６を示す。そして、各扉オープン操作画像９６ａ〜９６ｄには、「グリッド交換扉を押し上げ、開いてください。」というメッセージをイメージとともに表示することで、交換手順の把握を一層容易なものとしている。
【００３８】
オペレータは、マニュアルを用いることなく、これらの扉オープン操作画像９６ａ〜９６ｄを確認しながら、グリッド交換扉５６を容易に開くことができる。なお、扉オープン操作画像９６ａ〜９６ｄが遷移することでグリッド交換扉５６の位置や状態が不明になる場合には、扉オープン操作画像９６ｄの画像に表示された「もう一度見る」というボタンを操作する。これにより、扉オープン操作画像９６ａ〜９６ｄの画像を繰り返し表示させることができる。また、「もう一度見る」というボタンを設定しないで、グリッド交換扉５６が完全に開放されるまで扉オープン操作画像９６ａ〜９６ｄの画像表示を繰り返し表示させるようにしてもよい。
【００３９】
グリッド交換扉５６が完全に開放されたことを扉開閉検出センサ７２が検出すると（ステップＳ３）、主制御部６４は、グリッド有無検出センサ７４からの信号に基づき、グリッド４４が既に挿入されているか否かを確認する（ステップＳ４）。
【００４０】
グリッド４４が挿入されていることが確認された場合、主制御部６４は、交換手順画像記憶部８２からグリッド４４を取り出す手順を示す画像データを読み出し、操作表示パネル２７に図８に示すグリッド取り出し操作画像９８ａ〜９８ｆとして所定の時間間隔で順に表示する（ステップＳ５）。
【００４１】
この場合、グリッド取り出し操作画像９８ａは、グリッド４４の上部に配設された取手５８ａ、５８ｂの位置を矢印で示し、グリッド取り出し操作画像９８ｂは、取手５８ａ、５８ｂの引き出し方向を矢印で示し、グリッド取り出し操作画像９８ｃは、取手５８ａ、５８ｂを介してグリッド４４の一部が取り出された状態を示し、グリッド取り出し操作画像９８ｄは、グリッド４４が完全に取り出された状態を示し、グリッド取り出し操作画像９８ｅは、グリッド４４が除去された状態を示す。また、グリッド取り出し操作画像９８ｆは、グリッド４４が除去された状態において、「グリッド挿入」及び「交換終了」のボタンを表示し、オペレータに次の操作を促す画像を示す。そして、各グリッド取り出し操作画像９８ａ〜９８ｆには、「グリッドの取手をつかみ、上方に真っ直ぐ引き抜いてください。」というメッセージをイメージとともに表示することで、交換手順の把握を一層容易なものとしている。
【００４２】
オペレータは、これらのグリッド取り出し操作画像９８ａ〜９８ｆを確認しながら、本体部２６からグリッド４４を容易に取り出すことができる。なお、扉オープン操作画像９６ａ〜９６ｄの場合と同様に、グリッド取り出し操作画像９８ｆの画像に表示された「もう一度見る」というボタンを操作することにより、グリッド取り出し操作画像９８ａ〜９８ｆの画像を繰り返し表示させることができる。また、「もう一度見る」というボタンを設定しないで、グリッド４４が完全に取り出されるまでグリッド取り出し操作画像９８ａ〜９８ｆの画像表示を繰り返し表示させるようにしてもよい。
【００４３】
次に、グリッド４４が取り出された後、オペレータによりグリッド取り出し操作画像９８ｆの「グリッド挿入」のボタンが操作されると（ステップＳ６）、主制御部６４は、交換手順画像記憶部８２からグリッド４４を挿入する手順を示す画像データを読み出し、操作表示パネル２７に図９に示すグリッド挿入操作画像１００ａ〜１００ｄとして所定の時間間隔で順に表示する（ステップＳ７）。なお、この表示は、ステップＳ４において、グリッド４４が挿入されていないことを検出した場合においても同様にして行われる。
【００４４】
この場合、グリッド挿入操作画像１００ａは、グリッド４４の挿入位置（ハッチング部分参照）を示し、グリッド挿入操作画像１００ｂは、グリッド交換扉５６を開成した部分の内部カバー６０上に配設されているラベル６２（図３参照）を拡大して示し、グリッド挿入操作画像１００ｃは、ラベル６２に表示された印に合わせてグリッド４４を挿入する部位を示し、グリッド挿入操作画像１００ｄは、グリッド４４が挿入された状態を拡大して示す。また、グリッド挿入操作画像１００ｄには、グリッド４４が挿入された状態において、オペレータに次の操作を促すための「交換終了」のボタンが表示される。そして、各グリッド挿入操作画像１００ａ〜１００ｄには、「ラベルの印に合わせ、グリッドを挿入してください。」というメッセージをイメージとともに表示することで、交換手順の把握を一層容易なものとしている。
【００４５】
オペレータは、これらのグリッド挿入操作画像１００ａ〜１００ｄを確認しながら、本体部２６に対してグリッド４４を容易且つ正確に挿入することができる。なお、扉オープン操作画像９６ａ〜９６ｄ及びグリッド取り出し操作画像９８ａ〜９８ｆの場合と同様に、グリッド挿入操作画像１００ｄの画像に表示された「もう一度見る」というボタンを操作することにより、グリッド挿入操作画像１００ａ〜１００ｄの画像を繰り返し表示させることができる。また、「もう一度見る」というボタンを設定しないで、グリッド４４が完全に挿入されるまでグリッド挿入操作画像１００ａ〜１００ｄの画像表示を繰り返し表示させるようにしてもよい。
【００４６】
一方、本体部２６にグリッド４４を挿入せず、図８に示すグリッド取り出し操作画像９８ｆでオペレータにより「交換終了」のボタンが操作された場合（ステップＳ８）、又は、グリッド４４を挿入した後、図９に示すグリッド挿入操作画像１００ｄで「交換終了」のボタンが操作された場合（ステップＳ８）、主制御部６４は、交換手順画像記憶部８２からグリッド交換扉５６を閉塞する手順を示す画像データを読み出し、操作表示パネル２７に図１０に示す扉クローズ操作画像１０２ａ〜１０２ｄとして所定の時間間隔で順に表示する（ステップＳ９）。
【００４７】
この場合、扉クローズ操作画像１０２ａは、開放状態にあるグリッド交換扉５６及びその閉じる方向を示し、扉クローズ操作画像１０２ｂは、一部閉じられた状態にあるグリッド交換扉５６を示し、扉クローズ操作画像１０２ｃは、完全に閉じた状態のグリッド交換扉５６を示す。また、扉クローズ操作画像１０２ｄは、グリッド交換扉５６を閉じた状態において、「最初に戻る」のボタンを表示し、オペレータに図５に示す通常の設定画像９４に戻る操作を促す。そして、各扉クローズ操作画像１０２ａ〜１０２ｄには、「グリッドの交換を終了します。グリッド交換扉をゆっくりと閉めてください。」というメッセージをイメージとともに表示することで、交換手順の把握を一層容易なものとしている。
【００４８】
オペレータは、これらの扉クローズ操作画像１０２ａ〜１０２ｄを確認しながら、グリッド交換扉５６を閉じる処理を行うことができる。なお、扉オープン操作画像９６ａ〜９６ｄ、グリッド取り出し操作画像９８ａ〜９８ｆ及びグリッド挿入操作画像１００ａ〜１００ｄの場合と同様に、扉クローズ操作画像１０２ｄの画像に表示された「もう一度見る」というボタンを操作することにより、扉クローズ操作画像１０２ａ〜１０２ｄの画像を繰り返し表示させることができる。また、「もう一度見る」というボタンを設定しないで、グリッド交換扉５６が完全に閉塞されるまで扉クローズ操作画像１０２ａ〜１０２ｄの画像表示を繰り返し表示させるようにしてもよい。
【００４９】
グリッド交換扉５６が完全に閉じたことを扉開閉検出センサ７２が検出すると（ステップＳ１０）、グリッド４４の交換作業が完了する。
【００５０】
なお、上述した実施形態において、交換手順画像記憶部８２に記憶される交換手順画像をネットワーク８８を介して外部装置９０から送信し、常時最新の交換手順画像として記憶させておくようにしてもよい。
【００５１】
また、操作表示パネル２７にカメラを備えた電話機能を組み込み、例えば、カメラで取り込んだ現場の状況画像を放射線画像記録読取装置２０から離れた場所にいる他の作業者に送信し、グリッド４４の交換作業を行っているオペレータに対して、交換手順画像による説明に加えて、前記の作業者が音声等によって指示を行うようにすることも可能である。
【００５２】
さらに、放射線画像記録読取装置２０の本体部２６の内部に各種センサを設け、例えば、グリッド４４の交換の際に間違った操作を行った場合、その操作ミスをセンサによって検出し、操作表示パネル２７を介して表示画像又は音声によってオペレータに操作ミスを報知することも可能である。
【図面の簡単な説明】
【００５３】
【図１】本発明の放射線画像記録装置が適用される放射線画像記録読取装置の外観図である。
【図２】放射線画像記録読取装置の本体部の内部構成図である。
【図３】放射線画像記録読取装置のグリッド交換扉を開成した状態の斜視説明図である。
【図４】放射線画像記録読取装置の制御回路ブロック図である。
【図５】放射線画像記録読取装置の操作表示パネルに表示される設定画像の説明図である。
【図６】放射線画像記録読取装置におけるグリッド交換処理のフローチャートである。
【図７】放射線画像記録読取装置の操作表示パネルに表示される扉オープン操作画像の説明図である。
【図８】放射線画像記録読取装置の操作表示パネルに表示されるグリッド取り出し操作画像の説明図である。
【図９】放射線画像記録読取装置の操作表示パネルに表示されるグリッド挿入操作画像の説明図である。
【図１０】放射線画像記録読取装置の操作表示パネルに表示される扉クローズ操作画像の説明図である。
【符号の説明】
【００５４】
２０…放射線画像記録読取装置  ２４…支柱
２６…本体部                  ２７…操作表示パネル
３６…被写体                  ３８…放射線源
４４…グリッド                ４６…読取消去ユニット
４８…読取部                  ５０…消去部
５６…グリッド交換扉          ５８ａ、５８ｂ…取手
６０…内部カバー              ６２…ラベル
６４…主制御部                ８０…設定画像記憶部
８２…交換手順画像記憶部      ８４…放射線画像記憶部
８６…音声出力部              ９４…設定画像
９６ａ〜９６ｄ…扉オープン操作画像
９８ａ〜９８ｆ…グリッド取り出し操作画像
１００ａ〜１００ｄ…グリッド挿入操作画像
１０２ａ〜１０２ｄ…扉クローズ操作画像
ＩＰ…蓄積性蛍光体シート
【図１】
2005073749.tif 000003
【図２】
2005073749.tif 000004
【図３】
2005073749.tif 000005
【図４】
2005073749.tif 000006
【図５】
2005073749.tif 000007
【図６】
2005073749.tif 000008
【図７】
2005073749.tif 000009
【図８】
2005073749.tif 000010
【図９】
2005073749.tif 000011
【図１０】
2005073749.tif 000012